(57)【要約】【課題】体液の拡散性が適切に制御され、液漏れを生じ難い吸収性物品を提供すること。【解決手段】吸収性コア２３は、該吸収性コア２３の肌対向面に開口部を有し且つ縦方向Ｘに延びる溝部４と、該溝部４に隣接し且つ該吸収性コア２３の厚み方向の少なくとも一部に体液を増粘させ得る多糖類が含有されている多糖類含有領域５と、該吸収性コア２３の厚み方向の全域に亘って該多糖類が含有されていない多糖類非含有領域６とを有している。股下部Ｂにおいて、吸収性コア２３が有する全ての溝部４のうち該吸収性コア２３を横方向に二分する縦中心線２３Ｌから最も離れている、横方向最外方溝部４の横方向Ｙの外方に、該横方向最外方溝部４に隣接して多糖類含有領域５が配されている。【選択図】図４
2015112130.tif 000002
【特許請求の範囲】
【請求項１】
排泄された体液を吸収保持する吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアは、該吸収性コアの肌対向面に開口部を有し且つ縦方向に延びる溝部と、該溝部に隣接し且つ該吸収性コアの厚み方向の少なくとも一部に体液を増粘させ得る多糖類が含有されている多糖類含有領域と、該吸収性コアの厚み方向の全域に亘って該多糖類が含有されていない多糖類非含有領域とを有し、
前記股下部において、前記吸収性コアが有する全ての前記溝部のうち該吸収性コアを横方向に二分する縦中心線から最も離れている、横方向最外方溝部の横方向外方に、該横方向最外方溝部に隣接して前記多糖類含有領域が配されている吸収性物品。
【請求項２】
前記横方向最外方溝部の横方向外方に位置してこれに隣接している前記多糖類含有領域において、前記多糖類は前記吸収性コアの厚み方向の全域に含有されている請求項１記載の吸収性物品。
【請求項３】
前記横方向最外方溝部の横方向外方に位置してこれに隣接している前記多糖類含有領域の横方向外方に、該多糖類含有領域に隣接して前記多糖類非含有領域が配されている請求項１又は２記載の吸収性物品。
【請求項４】
前記吸収性コアは、前記股下部の横方向中央部に、２本の前記溝部に挟まれた溝部間隙部を有し、該溝部間隙部に該溝部に隣接して前記多糖類含有領域が配されており、該溝部間隙部における多糖類含有領域において、前記多糖類は該吸収性コアの非肌対向面側に偏在している請求項１〜３の何れか一項に記載の吸収性物品。
【請求項５】
前記溝部は、前記吸収性コアの縦方向端部に開放されておらずに閉鎖端部を有している請求項１〜４の何れか一項に記載の吸収性物品。
【請求項６】
前記溝部の閉鎖端部の縦方向外方に、縦方向内方から外方に向かって前記多糖類含有領域と前記多糖類非含有領域とがこの順で配され、且つ両領域が互いに隣接している請求項５記載の吸収性物品。
【発明の詳細な説明】
【技術分野】
【０００１】
本発明は、使い捨ておむつ、生理用ナプキン等の吸収性物品に関する。
【背景技術】
【０００２】
使い捨ておむつ等の吸収性物品として、排泄された体液を吸収保持する吸収体を備え、着用者の前後方向に相当する縦方向とこれに直交する横方向とを有しているものが知られており、該吸収体としては、ポリアクリル酸塩架橋体等からなる吸水性ポリマーの粒子がパルプ繊維中に分散されてなるものが一般的である。斯かる吸収体においては、吸水性ポリマーは所定部位に固定されているので、排泄された体液は、その吸水性ポリマー固定部に到達して初めて吸収保持される。従って、透過・拡散速度の比較的小さい軟便や血液等の高粘度体液が排泄された場合には、その高粘度体液の一部のみが吸水性ポリマー固定部に到達し、残りは吸水性ポリマー固定部に到達できないか、又は高粘度体液の全部が吸水性ポリマー固定部に到達して吸収保持されるまでに時間がかかり、その間に液漏れが発生することがあった。
【０００３】
そこで特許文献１には、吸収性物品の吸収体中に、多価金属イオンの存在下で増粘し得る多糖類を含有させ、且つ該多糖類を体液又は排泄物中の水分中に溶解又は解離し得る状態で存在させることが記載されている。特許文献１には、斯かる構成の具体例として、パルプ繊維を主体とする吸収体中に前記多糖類の粉末を、該吸収体の平面方向及び厚さ方向の全域に亘って均一に分散させることが記載されている。
【０００４】
また、吸収性物品においては、吸収体の一部（特に着用者の体液排泄部に対向する部分及びその近傍）のみが体液の吸収保持に利用され、他の部分はほとんど利用されない場合があり、吸収体全体の有効利用の点で改善の余地があった。例えば特許文献２には、使い捨ておむつの着用中に着用者が座位で排尿すると、体圧負荷により吸収体が押し潰されたような状態となってその体圧負荷位置で排尿の吸収が止まってしまい、吸収体全体が有効利用されないという不都合に鑑み、吸収体を、吸収材と螺旋状フレキシブル部材とがおむつの横方向（幅方向）に交互に配置された構成とすることが記載されている。この螺旋状フレキシブル部材は、可撓性の金属製あるいは熱可塑性樹脂製の螺旋状体であり、吸収材を実質的に含んでいない。
【０００５】
また特許文献３には、軟便等の体液の拡散を最小化し、液漏れを防止し得る使い捨ておむつとして、吸水性ポリマーを含有する吸収体に、体液を収納保持する便ポケットを設け、且つ該便ポケット以外の部分では吸水性ポリマーを肌対向面側に偏在させ、該便ポケットではその周壁部及び底面部に偏在させたものが記載されている。
【先行技術文献】
【特許文献】
【０００６】
【特許文献１】特開２０１０−１４８９２３号公報
【特許文献２】特開２００３−７９６５４号公報
【特許文献３】特開２００７−１１７７２７号公報
【発明の概要】
【発明が解決しようとする課題】
【０００７】
吸収性物品において、吸収体全体を有効に利用することは、液漏れの防止に繋がるものであり、重要な技術課題である。吸収体全体の有効利用には、体液の横方向への拡散を抑制すると共に、縦方向への拡散を促進させることが必要となる。しかしながら特許文献２では、吸収体において縦方向の液拡散を促進させることは開示があるが、横方向の液拡散については何ら工夫がされておらず、液漏れ（横漏れ）が発生するおそれがあった。また、特許文献１においては、縦方向及び横方向の両方の拡散を抑制する技術が開示されているが、この場合はいずれの方向にも液拡散を促進させることはなく、吸収体全体を有効利用することはできなかった。吸収体において体液の拡散性を適切に制御し、体液の漏れを効果的に防止し得る技術は改善の余地がある。
【０００８】
従って本発明の課題は、体液の拡散性が適切に制御され、液漏れを生じ難い吸収性物品に関する。
【課題を解決するための手段】
【０００９】
本発明は、排泄された体液を吸収保持する吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、前記吸収性コアは、該吸収性コアの肌対向面に開口部を有し且つ縦方向に延びる溝部と、該溝部に隣接し且つ該吸収性コアの厚み方向の少なくとも一部に体液を増粘させ得る多糖類が含有されている多糖類含有領域と、該吸収性コアの厚み方向の全域に亘って該多糖類が含有されていない多糖類非含有領域とを有し、前記股下部において、前記吸収性コアが有する全ての前記溝部のうち該吸収性コアを横方向に二分する縦中心線から最も離れている、横方向最外方溝部の横方向外方に、該横方向最外方溝部に隣接して前記多糖類含有領域が配されている吸収性物品を提供するものである。
【発明の効果】
【００１０】
本発明によれば、体液の拡散性が適切に制御され、液漏れを生じ難い吸収性物品が提供される。
【図面の簡単な説明】
【００１１】
【図１】図１は、本発明の吸収性物品の一実施形態であるパンツ型使い捨ておむつを模式的に示す斜視図である。
【図２】図２は、図１に示すおむつの展開且つ伸長状態における肌対向面側を一部破断して模式的に示す展開平面図である。
【図３】図３は、図１に示すおむつを模式的に示す分解斜視図である。
【図４】図４は、図１に示すおむつを構成する吸収性コアの非肌対向面側を模式的に示す平面図である。
【図５】図５は、図４のＩ−Ｉ線断面（横断面）を模式的に示す断面図である。
【図６】図６は、実施例で用いた吸収性コアの非肌対向面側を模式的に示す平面図（図４相当図）である。
【図７】図７は、図６のＩＩ−ＩＩ線断面（横断面）の一例を模式的に示す断面図である。
【図８】図８は、図６のＩＩ−ＩＩ線断面（横断面）の他の例を模式的に示す断面図である。
【発明を実施するための形態】
【００１２】
以下本発明を、その好ましい実施形態に基づき図面を参照しながら説明する。図１〜図３には、本発明の吸収性物品の一実施形態であるパンツ型使い捨ておむつ１が記載されている。おむつ１は、排泄された体液を吸収保持する吸収性コア２３を備え、着用状態において着用者の腹側に配される腹側部Ａ、背側に配される背側部Ｃ、及びそれらの間に位置して着用者股間部に配される股下部Ｂを有していると共に、縦方向Ｘとこれに直交する横方向Ｙとを有している。おむつ１の縦方向Ｘは、腹側部Ａと背側部Ｃとの間を股下部Ｂを介して延びる方向である。股下部Ｂは、外装体３の縦方向Ｘに沿う両側縁部にレッグ開口部ＬＨ，ＬＨ形成用の凹欠部（レッグ縁部１０，１０）が形成されている領域であり、吸収性コア２３を縦方向Ｘに３等分した場合の縦方向Ｘの中央部を含む領域である。
【００１３】
おむつ１は、吸収性本体２と、該吸収性本体２の非肌対向面側に配されて該吸収性本体２を固定している外装体３とを備えている。外装体３は、図２に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部で切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。本明細書において、肌対向面は、おむつ１及びその構成部材（例えば吸収性コア２３）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１４】
吸収性本体２は、図２に示すように、おむつ１の縦方向Ｘと同方向に長い矩形形状を有している。吸収性本体２は、その長手方向を、展開且つ伸長状態におけるおむつ１の縦方向Ｘに一致させて、外装体３の中央部に接着剤により接合されている。吸収性本体２は、肌対向面を形成する液透過性の表面シート２１、非肌対向面を形成する液不透過性若しくは液難透過性又は撥水性の裏面シート２２、及び両シート２１，２２間に介在配置された液保持性の吸収性コア２３を有している。吸収性コア２３は、その少なくとも肌対向面及び非肌対向面並びに縦方向Ｘに沿う側端面が、紙、不織布等の液透過性のコアラップシート（図示せず）によって被覆されており、吸収性コア２３とこれを被覆するコアラップシートとからなる吸収体を形成している。吸収性本体２は、この吸収体と表面シート２１及び裏面シート２２とが接着剤等の公知の接合手段により一体化されてなる。表面シート２１及び裏面シート２２としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。
【００１５】
吸収性コア２３としては、木材パルプ、親水化処理が施された合繊繊維等の親水性繊維を主体とする繊維材料からなる繊維集合体、又は該繊維集合体に粒子状の吸水性ポリマーを保持させたもの等を用いることができる。この繊維集合体は、公知の積繊装置を用いて、繊維材料を積繊することによって得られる。吸水性ポリマーとしては、この種の吸収性物品において通常用いられているものを特に制限なく用いることができ、例えば、ポリアクリル酸ナトリウムを主成分とするものが挙げられる。
【００１６】
吸収性本体２の肌対向面における縦方向Ｘに沿う左右両側には、図２に示すように、液抵抗性又は撥水性で且つ通気性のシート材から構成された側方カフス２４，２４が設けられている。各側方カフス２４の自由端部の近傍には糸状の側方カフス弾性部材２５が１本以上伸長状態で配されている。各側方カフス２４は、伸長状態で配された側方カフス弾性部材２５がおむつ１の着用状態において収縮することによって起立し、液の側方への流出を阻止する。
【００１７】
外装体３は、図２に示すように、その縦方向Ｘに沿う両側縁が股下部Ｂにおいて内向きの円弧状に湾曲して一対のレッグ縁部１０，１０を形成しており、図２に示す如き平面視において、縦方向Ｘの中央域が横方向Ｙの内方に向けて括れた砂時計状の形状を有している。外装体３は、腹側部Ａにおける縦方向Ｘに沿う両側縁部Ａ１，Ａ２と背側部Ｃにおける縦方向Ｘに沿う両側縁部Ｃ１，Ｃ２とが、接着剤、ヒートシール、超音波シール等の公知の接合手段によって互いに接合されており、その接合によって、図１に示すように、おむつ１に一対のサイドシール部Ｓ，Ｓが形成され、また、ウエスト開口部ＷＨ及び一対のレッグ開口部ＬＨ，ＬＨが形成されている。
【００１８】
外装体３は、図３に示すように、外層シート３１と内層シート３２との積層体を含んで構成されている。おむつ１の着用状態において、外層シート３１は着用者の身体から遠い側に位置し、おむつ１の非肌対向面（外面）を形成し、内層シート３２は、着用者の身体に近い側に位置し、おむつ１の肌対向面（内面）を形成する。外層シート３１と内層シート３２とはそれらの厚み方向に隣接している。外層シート３１と内層シート３２との間は、所定の部位において接着剤によって接合されている。外層シート３１は、内層シート３２と同形状・同寸法の部分に加えて更に、両シート３１，３２を積層した際に内層シート３２の腹側部Ａ側の縦方向Ｘの端部から外方に延出する腹側延出部３１Ｅと、内層シート３２の背側部Ｃ側の縦方向Ｘの端部から外方に延出する背側延出部３１Ｅとを有している。外層シート３１の両延出部３１Ｅ，３１Ｅは、それぞれ、図２に示すように、内層シート３２上に配置固定された吸収性本体２の縦方向Ｘの両端部を覆うように、内層シート３２側に折り返され、接着剤によって、両延出部３１Ｅ，３１Ｅと対向するおむつ１の他の構成部材（内層シート３２、吸収性本体２、側方カフス２４）に固定されている。外層シート３１及び内層シート３２としては、それぞれ、この種の吸収性物品において外装体として従来用いられている各種のものを特に制限なく用いることができ、例えば、各種製法による不織布（スパンボンド不織布、エアスルー不織布、ニードルパンチ不織布等）が挙げられる。
【００１９】
図２に示すように、腹側部Ａ及び背側部Ｃそれぞれにおけるウエスト部Ｄには、１本又は複数本のウエストギャザー形成用のウエスト弾性部材１１が横方向Ｙに伸長状態で配されている。ウエスト弾性部材１１は、ウエスト部Ｄの横方向Ｙの略全長に亘って延びている。ウエスト部Ｄは、着用者の腰回りに位置する部位であり、通常、おむつ１の腹側部Ａ側又は背側部Ｃ側の縦方向Ｘの端部からおむつ１の縦方向Ｘの全長の１〜１５％の長さまでの領域である。これによってウエスト開口部ＷＨ（図１参照）には、その全周に亘って実質的に連続した環状のウエストギャザーが形成されている。
【００２０】
また、図２に示すように、股下部Ｂの縦方向Ｘに沿う両側部（レッグ縁部）１０，１０それぞれには、１本又は複数本のレッグギャザー形成用のレッグ弾性部材１２が伸長状態で配されている。これによって一対のレッグ開口部ＬＨ，ＬＨ（図１参照）それぞれの開口縁部であるレッグ縁部１０には、その全周に亘って実質的に連続した環状のレッグギャザーが形成されている。レッグ弾性部材１２は、少なくとも吸収性本体２の縦方向Ｘに沿う両側縁よりも横方向Ｙの外方の部位に弾性伸縮性が発現されるように伸長状態で配されており、且つ吸収性本体２が存在する部位の少なくとも横方向Ｙの中央部には弾性伸縮性が発現される状態では配されていない。
【００２１】
また、図２に示すように、これらの弾性部材１１，１２とは別に、腹側部Ａ及び背側部Ｃそれぞれにおける、ウエスト部Ｄと股下部Ｂとの間に位置する胴周り部Ｅには、１本又は複数本の胴周りギャザー形成用の胴周り弾性部材１３が横方向Ｙに伸長状態で配されている。胴周り弾性部材１３は、少なくとも吸収性本体２の縦方向Ｘに沿う両側縁よりも横方向Ｙの外方の部位に弾性伸縮性が発現されるように伸長状態で配されており、且つ吸収性本体２が存在する部位の少なくとも横方向Ｙの中央部には弾性伸縮性が発現される状態では配されていない。
【００２２】
以上の各弾性部材１１，１２，１３は、何れも外装体３を構成する外層シート３１と内層シート３２との間に接着剤等の接合手段により挟持固定されている。各弾性部材１１，１２，１３としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２３】
図４及び図５には、おむつ１が備える吸収性コア２３が示されている。吸収性コア２３は、図４に示すように平面視矩形形状を有し、且つ図５に示すように単層構造を有している。本実施形態のおむつ１の主たる特徴の１つとして、吸収性コア２３は、該吸収性コア２３の肌対向面に開口部を有し且つ縦方向Ｘに延びる溝部４と、該溝部４に隣接し且つ該吸収性コア２３の厚み方向の少なくとも一部に、体液を増粘させ得る多糖類が含有されている多糖類含有領域５と、該吸収性コア２３の厚み方向の全域に亘って該多糖類が含有されていない多糖類非含有領域６とを有している点が挙げられる。溝部４に隣接する多糖類含有領域５と該溝部４とは、直接隣り合っており、両者の間には多糖類非含有領域６は配されない。図中の符号５０は、多糖類が存在する部分を示す。多糖類含有領域５は、この多糖類存在部５０のみからなるか、又は多糖類存在部５０を一部に含む。多糖類の詳細については後述する。
【００２４】
本実施形態においては、溝部４は、図５に示すように、吸収性コア２３を厚み方向に貫通する貫通孔であり、溝部４には吸収性コア２３の形成材料は存在していない。従って、溝部４は、吸収性コア２３の肌対向面のみならず、その反対側に位置する非肌対向面にも開口部を有している。但し、本発明に係る溝部は、このような貫通孔に制限されず、肌対向面のみに開口部を有し（非肌対向面には開口部を有しておらず）、吸収性コアの他の部分よりも厚みが薄い薄肉部であっても良い。
【００２５】
貫通孔か薄肉部かにかかわらず、本発明に係る溝部は、この種の吸収性コアにおける溝部と同様に形成することができ、例えば、ｉ）吸収性コアの所定部位に、エンボス加工（薄肉部の場合）、型抜き加工、切削加工等の後加工を施して該所定部位の吸収性コア形成材料を完全に除去（貫通孔の場合）、あるいは一部除去（薄肉部の場合）する方法、ｉｉ）公知の積繊装置を用いて吸収性コアを製造する際に、その形成材料の積繊工程において、所定部位における形成材料の積繊量を意図的に制限する方法、等により形成することができる。本発明に係る溝部が薄肉部である場合において、前記ｉ）の方法で形成された薄肉部は、後加工によって厚み方向に圧縮されているため、吸収性コアの他の部分に比して高密度になり得るのに対し、前記ｉｉ）の方法で形成された薄肉部は、その形成過程において圧密化されていないため、吸収性コアの他の部分と同程度の密度を有する。
【００２６】
本実施形態においては、吸収性コア２３には、平面視線状（矩形形状）のスリット状の溝部４が２本配されている。この２本の溝部４，４は、吸収性コア２３を横方向に二分する縦中心線２３Ｌを基準として一方側と他方側とに分かれて配されており、該一方側の溝部４と該他方側の溝部４とで対称をなしている。両溝部４，４は、少なくとも股下部Ｂに配されており、吸収性コア２３を縦方向Ｘに３等分した場合の縦方向Ｘの中央部（股下部Ｂの縦方向Ｘの中央部）において該中央部の縦方向Ｘの全長に亘って延在している。
【００２７】
そして、本実施形態においては、股下部Ｂ（吸収性コア２３を縦方向Ｘに３等分した場合の縦方向Ｘの中央部）において、吸収性コア２３が有する全ての溝部４のうち該吸収性コア２３の縦中心線２３Ｌから最も離れている、横方向最外方溝部４の横方向Ｙの外方に、該横方向最外方溝部４に隣接して多糖類含有領域５が配されている。以下、この「横方向最外方溝部４の横方向Ｙの外方に位置してこれに隣接している多糖類含有領域５」を「横方向最外方多糖類含有領域５１」ともいう。本実施形態においては、２本の溝部４，４は前述したように、縦中心線２３Ｌを基準として対称をなしていて、両溝部４，４の縦中心線２３Ｌからの離間距離に差がないことから、両溝部４，４共に「横方向最外方溝部」である。尚、本発明には、吸収性コア２３が溝部４を１本しか有していない形態も含まれるところ、斯かる形態においては、その１本の溝部４が縦中心線２３と重なっていた場合でも、該１本の溝部４は「横方向最外方溝部」である。
【００２８】
本実施形態のおむつ１によれば、吸収性コア２３に溝部４と多糖類含有領域５と多糖類非含有領域６とが適切に配されていることにより、排泄された体液の縦方向Ｘへの拡散が促進されると共に、体液の横方向Ｙへの拡散が抑制され、その結果、吸収性コア２３全体が有効に利用され、体液の漏れが効果的に防止される。
即ち、吸収性コア２３に股下部Ｂを通って縦方向Ｘに延びる溝部４が設けられていることにより、股下部Ｂに対して排泄された尿等の体液は、溝部４を通って吸収性コア２３中を縦方向Ｘに拡散され、腹側部Ａ及び背側部Ｃへと移行しやすくなるため、吸収性コア２３における体液の吸収保持に利用される部分の割合が向上し、吸収性コア２３全体の有効利用が図られる。つまり、溝部４は、排泄された体液の導液路として機能する。
また、排泄された体液は、溝部４と横方向Ｙにおいて隣接する多糖類含有領域５にて、該領域５に含有されている多糖類と接触することで増粘されるため、横方向Ｙへの拡散が効果的に抑制され、これにより吸収性コア２３の側部からの体液の漏れ（いわゆる横漏れ）が効果的に防止される。
また、多糖類含有領域５が横方向Ｙにおいて溝部４に隣接していることは、体液の横方向Ｙへの拡散抑制のみならず、縦方向Ｘへの拡散促進にも有効である。つまり、排泄された体液は、多糖類含有領域５によって横方向Ｙへの拡散が抑制される一方で、その拡散抑制の最中に溝部４によって縦方向Ｘへの拡散が促進されるのである。
【００２９】
特に本実施形態においては、図５に示すように、横方向最外方多糖類含有領域５１（横方向最外方溝部４の横方向Ｙの外方に位置してこれに隣接している多糖類含有領域５）において、多糖類は吸収性コア２３の厚み方向の全域に含有されているので、該領域５１による体液の横方向Ｙへの拡散防止効果に優れ、横漏れをより効果的に防止し得る。
【００３０】
本実施形態においては、多糖類含有領域５は、図４に示す如き吸収性コア２３の非肌対向面２３ｂ（裏面シート２２に相対的に近い面）の平面視において、複数本（２本）の溝部（横方向最外方溝部）４，４それぞれの周囲に配されており、各溝部４は多糖類含有領域５に包囲されている。即ち、多糖類含有領域５は、各溝部４の横方向Ｙの両側それぞれにおいて該溝部４の縦方向Ｘの全長に亘って配され、更に、吸収性コア２３における、縦方向Ｘにおいて溝部４が配されていない部分（腹側部Ａ及び背側部Ｃに位置する部分）にも、該溝部４に隣接して配されている。
【００３１】
吸収性コア２３は、股下部Ｂの横方向Ｙの中央部に、２本の溝部４，４に挟まれた溝部間隙部２６を有し、該溝部間隙部２６に該溝部４に隣接して多糖類含有領域５が配されている。より具体的には、吸収性コア２３の溝部間隙部２６は、その両側に位置する溝部４，４と横方向Ｙにおいてに隣接する一対の多糖類含有領域５，５と、両領域５，５間に位置する多糖類非含有領域６とを含んで構成されている。
【００３２】
そして、溝部間隙部２６の多糖類含有領域５においては、図５に示すように、多糖類はその厚み方向の全域には含有されておらず、吸収性コア２３の非肌対向面２３ｂ側に偏在している。股下部Ｂの横方向Ｙの中央部に位置する溝部間隙部２６における肌対向面２３ａは、通常、排泄された体液を最初に受けとめる部位であるところ、この溝部間隙部２６における肌対向面２３ａ側に多糖類が含有されていると、溝部４による体液の縦方向Ｘへの拡散作用が阻害されかねない。そこで、溝部間隙部２６については、このように多糖類を、肌対向面２３ａとは反対側に位置する非肌対向面２３ｂ側に偏在させることにより、体液の縦方向Ｘへの拡散を阻害せずに、体液の横方向Ｙへの拡散を抑制することがより一層確実になされるようになる。
【００３３】
斯かる作用効果をより確実に奏させるようにする観点から、溝部間隙部２６の多糖類含有領域５において、非肌対向面２３ｂ側に偏在する多糖類存在部５０の厚みＴ１（図５参照）は、該多糖類含有領域５（溝部間隙部２６）の厚みに対して、好ましくは１％以上、更に好ましくは５％以上、そして、好ましく７０％以下、更に好ましくは５０％以下、より具体的には、好ましくは１〜７０％、更に好ましくは５〜５０％である。
【００３４】
図４及び図５に示すように、横方向最外方多糖類含有領域５１（横方向最外方溝部４の横方向Ｙの外方に位置してこれに隣接している多糖類含有領域５）の横方向Ｙの外方には、該領域５１に隣接して多糖類非含有領域６が配されている。つまり、吸収性コア２３における横方向最外方溝部４よりも横方向Ｙの外方に位置する部位は、横方向Ｙの内方から外方に向かって多糖類含有領域５（横方向最外方多糖類含有領域５１）と多糖類非含有領域６とがこの順で配されて構成されており、吸収性コア２３の横方向Ｙに沿う側縁部は、多糖類含有領域５ではなく、多糖類非含有領域６から形成されている。本実施形態においては、図４に示すように、吸収性コア２３の横方向Ｙに沿う側縁部のみならず、吸収性コア２３の周縁部全体が多糖類非含有領域６から形成されている。斯かる構成により、多糖類含有領域５において、増粘されつつも、該領域５を超えた体液を、多糖類非含有領域６で吸収保持することができ、効果的に漏れが防止される。
【００３５】
本実施形態においては、図４に示すように、溝部４は、吸収性コア２３の縦方向両端部２３Ｅ，２３Ｅに開放されておらずに、その長さ方向の前後端それぞれに閉鎖端部４Ｅを有している。前述したように、溝部４は排泄された体液の導液路として機能するものであるところ、そのような機能を有する溝部４が吸収性コア２３の縦方向Ｘの全長に亘って延在し、吸収性コア２３の縦方向両端部２３Ｅ，２３Ｅに開放されていると、溝部４を通った体液が縦方向両端部２３Ｅ，２３Ｅから漏れ出すことが懸念されるが、本実施形態のように溝部４がその長さ方向の前後端それぞれに閉鎖端部４Ｅを有していることで、斯かる懸念をより確実に払拭することができる。
【００３６】
また、本実施形態においては、図４に示すように、溝部４の閉鎖端部４Ｅの縦方向Ｘの外方に、縦方向Ｘの内方から外方に向かって多糖類含有領域５と多糖類非含有領域６とがこの順で配され、且つ両領域５，６が互いに隣接している。このように、溝部４の閉鎖端部４Ｅの縦方向Ｘの外方に、該閉鎖端部４Ｅに隣接して多糖類含有領域５が配されていることにより、股下部Ｂの中央部に排泄され縦方向Ｘに拡散されてきた体液を、該領域５にて増粘させることが可能となり、それによって吸収性コア２３の縦方向端部２３Ｅからの体液の漏れが効果的に防止される。
【００３７】
溝部４の閉鎖端部４Ｅよりも縦方向Ｘの外方に位置する多糖類含有領域５において、多糖類は、横方向最外方多糖類含有領域５１のように、吸収性コア２３の厚み方向の全域に含有されていても良く、あるいは、溝部間隙部２６の多糖類含有領域５のように、吸収性コア２３の非肌対向面２３ｂ側に偏在していても良い。但し、吸収性コア２３における、溝部４の閉鎖端部４Ｅよりも縦方向Ｘの外方に位置する領域では、体液の縦方向Ｘへの拡散はさほど重要ではなく、むしろ、吸収性コア２３の縦方向端部２３Ｅからの体液の漏れを防止することの方が重要であることから、該領域に配されている多糖類含有領域５においては、多糖類は、吸収性コア２３の厚み方向の全域に含有されていることが好ましい。
【００３８】
前述した、溝部４と多糖類含有領域５と多糖類非含有領域６とによる作用効果をより確実に奏させるようにする観点から、吸収性コア２３の各部の寸法等は次のように設定することが好ましい。
溝部４の幅Ｗ１（図４参照。溝部４の長さ方向と直交する方向の長さ。）は、好ましくは３ｍｍ以上、更に好ましくは５ｍｍ以上、そして、好ましくは２０ｍｍ以下、更に好ましくは１５ｍｍ以下、より具体的には、好ましくは３〜２０ｍｍ、更に好ましくは５〜１５ｍｍである。
溝部４の縦方向Ｘの全長は、吸収性コア２３の縦方向Ｘの全長に対して、好ましくは６０％以上、更に好ましくは７０％以上、そして、好ましくは９５％以下、更に好ましくは９０％以下、より具体的には、好ましくは６０〜９５％、更に好ましくは７０〜９０％である。
溝部間隙部２６の幅（２本の溝部４，４の間隔）は、好ましくは６０ｍｍ以上、更に好ましくは７０ｍｍ以上、そして、好ましくは１００ｍｍ以下、更に好ましくは９０ｍｍ以下、より具体的には、好ましくは６０〜１００ｍｍ、更に好ましくは７０〜９０ｍｍである。
【００３９】
溝部４と横方向Ｙにおいて隣接している多糖類含有領域５（横方向最外方多糖類含有領域５１）の幅Ｗ２（図４参照）は、好ましくは５ｍｍ以上、更に好ましくは７．５ｍｍ以上、そして、好ましくは２０ｍｍ以下、更に好ましくは１５ｍｍ以下、より具体的には、好ましくは５〜２０ｍｍ、更に好ましくは７．５〜１５ｍｍである。
溝部４と縦方向Ｘにおいて隣接している多糖類含有領域５の幅Ｗ３（図４参照）は、好ましくは５ｍｍ以上、更に好ましくは７．５ｍｍ以上、そして、好ましくは２０ｍｍ以下、更に好ましくは１５ｍｍ以下、より具体的には、好ましくは５〜２０ｍｍ、更に好ましくは７．５〜１５ｍｍである。
溝部４の閉鎖端部４Ｅと吸収性コア２３の縦方向端部２３Ｅ（吸収性コア２３の縦方向両端部２３Ｅ，２３Ｅのうち該閉鎖端部４Ｅに相対的に近い方）との距離は、好ましくは１０ｍｍ以上、更に好ましくは１５ｍｍ以上、そして、好ましくは３０ｍｍ以下、更に好ましくは２５ｍｍ以下、より具体的には、好ましくは１０〜３０ｍｍ、更に好ましくは１５〜２５ｍｍである。
【００４０】
吸収性コア２３の厚みは、好ましくは２ｍｍ以上、更に好ましくは２．５ｍｍ以上、そして、好ましくは１０ｍｍ以下、更に好ましくは８ｍｍ以下、より具体的には、好ましくは２〜１０ｍｍ、更に好ましくは２．５〜８ｍｍである。
吸収性コア２３の坪量は、好ましくは１００ｇ／ｃｍ2以上、更に好ましくは２００ｇ／ｃｍ2以上、そして、好ましくは５００ｇ／ｃｍ2以下、更に好ましくは４００ｇ／ｃｍ2以下、より具体的には、好ましくは１００〜５００ｇ／ｃｍ2、更に好ましくは２００〜４００ｇ／ｃｍ2である。
【００４１】
本発明で用いる多糖類は、接触した体液（水分）を増粘させ得るもので、該体液には、尿等の低粘度液の他、軟便、血液等の高粘度液も含まれる。多糖類が体液を増粘させ得るものであるか否かは、以下に説明する増粘性評価方法に従って判断される。即ち、評価対象の多糖類を、カルシウムイオンを０．１質量％含有する塩化カルシウム水溶液５００ｍｌに、添加後の該多糖類の濃度が０．２質量％となるように添加した場合に、該水溶液の粘度が多糖類添加前に比して１０％以上上昇した場合、その評価対象の多糖類は、接触した体液を増粘させ得ると判断できる。粘度測定は、多糖類の添加前、及び、多糖類の添加３０秒後に、水溶液（２０℃）を、東京計器製Ｂ型粘度計（Ｂ８Ｍ型）を用いて測定する。
【００４２】
吸収性コアの材料として従来使用されている吸水性ポリマーは、吸収性コア中において移動せず、それが存在する位置へ体液が到達するのを待って初めて吸収・固定化効果を示すという、いわば受動的な吸収・固定化機構を有している。これに対し、本発明で用いる多糖類は、吸水性ポリマーと同様にゲル化による液の固定化効果を示し、しかも水中に溶解又は解離して拡散する性質があることから、排泄された体液と該多糖類との接触がひとたび起これば、当該接触部分の液が固定化されると共に、該多糖類が体液中に溶解又は解離して拡散していき、該多糖類が存在する位置から離れた位置にある体液も固定化される。つまり、本発明で用いる多糖類はいわば能動的な吸収・固定化機構を有している。従って、軟便のような高粘度液すべてが多糖類の存在する位置まで到達できなくても該高粘度液を固定化することができる。その上、本発明では、多糖類が体液中に微量含まれる多価金属イオン（例えばカルシウムイオンやアルミニウムイオン）と反応し錯体が形成されて該多糖類自身が増粘し、これが、排泄された体液と接触することによって初めて該体液を増粘させて、その固定化効果が発現する性質を利用している。多糖類のこのような性質によって、尿等の低粘度液は勿論のこと、軟便や血液等の高粘度液に対する漏れ防止効果も高くなる。しかも、本発明で用いる多糖類は、吸水性ポリマーと異なり、ゲルブロッキングの問題を生じないので、吸収性物品において着用者の肌に比較的近い側（肌対向面側）に存在させることも可能となる。
【００４３】
本発明では、吸収性コアに含有させる多糖類としては、多価金属イオンの存在下で増粘し得るものが用いられる。また、本発明では、多糖類は、僅かの高粘度液（水分）と接触することで該高粘度液中に素早く溶解又は解離し拡散して、該高粘度液を固定化する必要がある。従って、本発明で用いる多糖類は、多価金属イオンを含有していないことが好ましい。
【００４４】
また、多糖類として多価金属イオンを含有していないものを用いることに関連して、本発明の吸収性物品（特に吸収性コア）は、多価金属イオンを含有していないことが好ましい。しかし、実際には多糖類の製造工程や、吸収性物品の製造工程及び吸収性物品の各構成部材の製造工程で微量の多価金属イオンが不可避的に混入する場合がある。従って、本発明において、多糖類又は吸収性物品が多価金属イオンを含有していないとは、多価金属イオン又は水中で多価金属イオンを生じさせる物質を全く含有していない形態のみならず、漏れ防止効果を発揮し得る程度の増粘が発現するのに許容される量までの多価金属イオン又は水中で多価金属イオンを生じさせる物質が不可避的に混入している形態も包含する。
【００４５】
本明細書において、多価金属イオンを含有しない多糖類とは、「金属塩を形成していない多糖類そのもの」及び「１価の金属イオンと塩を形成している多糖類」を意味する。金属塩を形成していない多糖類としては、例えば、ペクチン、ゲランガム、κ−カラギーナン、グルコマンナン、グアーガム、カゼイン、アルギン酸プロピレングリコール等が挙げられ、これらの１種を単独で又は２種以上を組み合わせて用いることができる。また、１価の金属イオンと塩を形成している多糖類としては、例えば、アルギン酸ナトリウム等が挙げられる。これらの多糖類の中でも特に、ペクチン、アルギン酸ナトリウム、ゲランガム及びκ−カラギーナンは、製造コストや水に対する溶解性の点から本発明で好ましく用いられる。
【００４６】
また、本発明で用いる多糖類は、前述した通り、排泄された体液中に積極的に溶解・拡散していき該体液を増粘させるものであるから、水溶性であるか又は水に解離し得るものである。ここで、水に解離するとは、完全に水に溶解するのではなく、水中に分散可能な状態となっており、多糖類の分子鎖が絡まり合った状態で水中に存在しても良いことを意味する。また、完全に水に溶解するとは、全て一多糖類の分子がバラバラに水に水和することを意味する。また、多糖類の増粘の速度や増粘により形成されたゲルの物性等を適切なものとするために、多糖類のエステル化度を調整したり、有機酸等を共存させることでｐＨを調整しても良い。
【００４７】
本発明において、多糖類には、排泄された体液に対して敏感に反応して増粘することが要求されるから、多糖類は、水中に溶解又は解離し得る状態で吸収性コア中に存在することが好ましい。ここでいう、多糖類が水中に溶解又は解離し得る状態としては、例えば、多糖類の粉末が吸収性コア中に分散されている状態や、吸収性コアの肌対向面又は非肌対向面に散布されているような状態が挙げられる。
【００４８】
多糖類は粉末の状態で用いられても良く、その他、粒子の状態や水溶性のカプセルに内包された状態で用いられても良い。多糖類が粉末又は粒子の状態で用いられる場合、その大きさは、好ましくは１０μｍ以上、更に好ましくは５０μｍ以上、そして、好ましくは１０００μｍ以下、更に好ましくは５００μｍ以下、より具体的には、好ましくは５０〜１０００μｍ、更に好ましくは５０〜５００μｍである。また、多糖類がカプセルに内包された状態で用いられる場合、該カプセルの大きさは、好ましくは３００μｍ以上、更に好ましくは５００μｍ以上、そして、好ましくは２０００μｍ以下、更に好ましくは１０００μｍ以下、より具体的には、好ましくは３００〜２０００μｍ、更に好ましくは５００〜１０００μｍである。
【００４９】
本発明において、多糖類の使用量は、製造コスト及び増粘能力（モレ防止効果）の点から、好ましくは１０ｇ／ｍ2以上、更に好ましくは３０ｇ／ｍ2以上、そして、好ましくは２００ｇ／ｍ2以下、更に好ましくは１００ｇ／ｍ2以下、より具体的には、好ましくは１０〜２００ｇ／ｍ2、更に好ましくは３０〜１００ｇ／ｍ2である。また、本発明に係る吸収性コア中において、これに含まれる木材パルプ等の繊維材料と多糖類との含有質量比（多糖類／繊維材料）は、好ましくは１０／１０００以上、更に好ましくは１／５以上であり、そして、好ましくは２００／５０以下、更に好ましくは１／１以下である。また、本発明に係る吸収性コア中のパルプ繊維の含有量は、好ましくは５０ｇ／ｍ2以上、そして、好ましくは１０００ｇ／ｍ2以下、更に好ましくは３００ｇ／ｍ2以下、そして、好ましくは５０〜１０００ｇ／ｍ2、更に好ましくは５０〜３００ｇ／ｍ2である。
【００５０】
尚、吸収性コアに多糖類が含有されているか否かは、次の方法により確認することができる。先ず、吸収性物品から吸収性コアを取り出し、これを賽の目状（縦２ｃｍ、横２ｃｍ、高さ０．５ｃｍ程度）に切断する。次に、賽の目状に切断した吸収性コアを、繊維材料（親水性繊維）と吸水性ポリマー粒子とにグループ分けし、それぞれのグループに加水する。この加水は、多糖類を溶解させるためである。次に、繊維材料に加水したもの、吸水性ポリマー粒子に加水したもの、それぞれをろ過し、溶媒を留去して乾固物を得る。そして、繊維材料由来の乾固物及び吸水性ポリマー粒子由来の乾固物それぞれについて、重水を溶媒として水溶液にし、核磁気共鳴（ＮＭＲ）装置を用いて、1H-NMR及び／又は13C-NMRによる構造解析を行うと共に、前記増粘性評価方法に従って粘度測定を行い、それらの結果から多糖類の有無を判断する。
【００５１】
吸収性コアに多糖類が含有されているか否かを判断するに当たり、このように、前記増粘性評価方法に従った粘度測定とＮＭＲによる構造解析とを併用する理由は次の通りである。乾固物の水溶液について前記増粘性評価方法に従って粘度測定を行った結果、仮に、増粘が認められたとしても、それだけでは、その増粘が多糖類によるものか、あるいは他の要因（例えば吸水性ポリマーの微細な粉末が混入したこと）によるものか、不明である。一方、乾固物が単一物質となるまで分離して得られていれば、そのＮＭＲスペクトルから、増粘作用のある多糖類であるか否かは判断可能である。しかし、ＮＭＲだけでは、乾固物が単一物質となるまで単離されておらずに、混合物になっている（例えば吸水性ポリマーや油剤等が混入している）場合、その乾固物の中に多糖類が含まれていることは判明しても、その多糖類が必ずしも、「接触した体液を増粘させ得る」であるとは判断しきれない場合がある。そこで、前記増粘性評価方法に従った粘度測定とＮＭＲによる構造解析とを併用粘度測定と併用する。
【００５２】
以上、本発明の実施形態について説明したが、本発明は前記実施形態に制限されず、適宜変更可能である。例えば、前記実施形態においては、吸収性コアの溝部は２本であったが、溝部は１本でも良く、３本以上でも良い。溝部が１本あるいは３本以上の場合、溝部が２本であった前記実施形態と同様に、吸収性コアは、該吸収性コアを横方向に二分する縦中心線を基準として対称をなしていることが好ましい。また、吸収性コアの溝部は、前記実施形態における溝部４の如き、直線状（矩形形状）に制限されず、湾曲あるいは屈曲していても良く、溝部全体として縦方向に延びていれば良い。また、本発明の吸収性物品は、パンツ型使い捨ておむつに制限されず、人体から排出される液の吸収に用いられる物品を広く包含し、展開型使い捨ておむつ、生理用ナプキン、生理用ショーツ等も包含される。前述した本発明の実施形態に関し、更に以下の付記を開示する。
【００５３】
＜１＞
排泄された体液を吸収保持する吸収性コアを備え、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアは、該吸収性コアの肌対向面に開口部を有し且つ縦方向に延びる溝部と、該溝部に隣接し且つ該吸収性コアの厚み方向の少なくとも一部に体液を増粘させ得る多糖類が含有されている多糖類含有領域と、該吸収性コアの厚み方向の全域に亘って該多糖類が含有されていない多糖類非含有領域とを有し、
前記股下部において、前記吸収性コアが有する全ての前記溝部のうち該吸収性コアを横方向に二分する縦中心線から最も離れている、横方向最外方溝部の横方向外方に、該横方向最外方溝部に隣接して前記多糖類含有領域が配されている吸収性物品。
【００５４】
＜２＞
前記溝部は、前記吸収性コアを厚み方向に貫通する貫通孔である前記＜１＞記載の吸収性物品。
＜３＞
前記吸収性コアは繊維集合体を含む前記＜１＞又は＜２＞記載の吸収性物品。
＜４＞
前記吸収性コアは、繊維集合体に粒子状の吸水性ポリマーを保持させたものを含む前記＜１＞〜＜３＞の何れか一項に記載の吸収性物品。
＜５＞
前記溝部は、少なくとも前記股下部に配されており、前記吸収性コアを縦方向に３等分した場合の縦方向中央部（前記股下部の縦方向中央部）において該縦方向中央部の縦方向の全長に亘って延在している前記＜１＞〜＜４＞の何れか一項に記載の吸収性物品。
【００５５】
＜６＞
前記多糖類は、多価金属イオンの存在下で増粘し得る多糖類である前記＜１＞〜＜５＞の何れか一項に記載の吸収性物品。
＜７＞
前記多糖類は多価金属イオンを含有していない前記＜６＞記載の吸収性物品。
＜８＞
多価金属イオンを含有していない前記多糖類は、ペクチン、ゲランガム、κ−カラギーナン、グルコマンナン、グアーガム、カゼイン及びアルギン酸プロピレングリコールからなる群から選択される１種又は２種以上の、金属塩を形成していない多糖類である前記＜７＞記載の吸収性物品。
＜９＞
前記多糖類はアルギン酸ナトリウムである前記＜１＞〜＜８＞の何れか一項に記載の吸収性物品。
＜１０＞
前記多糖類は、粉末の状態で前記吸収性コア中に分散されているか、又は粉末の状態で前記吸収性コアの肌対向面又は非肌対向面に散布されている前記＜１＞〜＜９＞の何れか一項に記載の吸収性物品。
【００５６】
＜１１＞
前記横方向最外方溝部の横方向外方に位置してこれに隣接している前記多糖類含有領域において、前記多糖類は前記吸収性コアの厚み方向の全域に含有されている前記＜１＞〜＜１０＞の何れか一項に記載の吸収性物品。
＜１２＞
前記横方向最外方溝部の横方向外方に位置してこれに隣接している前記多糖類含有領域の横方向外方に、該多糖類含有領域に隣接して前記多糖類非含有領域が配されている前記＜１＞〜＜１１＞の何れか一項に記載の吸収性物品。
＜１３＞
前記吸収性コアには、平面視線状（矩形形状）のスリット状の前記溝部が２本配されている前記＜１＞〜＜１２＞の何れか一項に記載の吸収性物品。
＜１４＞
２本の前記溝部は、前記吸収性コアを横方向に二分する縦中心線を基準として一方側と他方側とに分かれて配されている前記＜１３＞記載の吸収性物品。
【００５７】
＜１５＞
前記吸収性コアは、前記股下部の横方向中央部に、２本の前記溝部に挟まれた溝部間隙部を有し、該溝部間隙部に該溝部に隣接して前記多糖類含有領域が配されており、該溝部間隙部における多糖類含有領域において、前記多糖類は該吸収性コアの非肌対向面側に偏在している前記＜１＞〜＜１４＞の何れか一項に記載の吸収性物品。
＜１６＞
前記溝部間隙部の前記多糖類含有領域において、非肌対向面側に偏在する多糖類存在部の厚みは、該多糖類含有領域（溝部間隙部）の厚みに対して、好ましくは１％以上、更に好ましくは５％以上、そして、好ましく７０％以下、更に好ましくは５０％以下である前記＜１５＞記載の吸収性物品。
＜１７＞
前記溝部間隙部の幅（２本の前記溝部の間隔）は、好ましくは６０ｍｍ以上、更に好ましくは７０ｍｍ以上、そして、好ましくは１００ｍｍ以下、更に好ましくは９０ｍｍ以下である前記＜１５＞又は＜１６＞記載の吸収性物品。
【００５８】
＜１８＞
前記溝部は、前記吸収性コアの縦方向端部に開放されておらずに閉鎖端部を有している前記＜１＞〜＜１７＞の何れか一項に記載の吸収性物品。
＜１９＞
前記溝部の閉鎖端部の縦方向外方に、縦方向内方から外方に向かって前記多糖類含有領域と前記多糖類非含有領域とがこの順で配され、且つ両領域が互いに隣接している前記＜１８＞記載の吸収性物品。
＜２０＞
前記吸収性コアの周縁部全体が前記多糖類非含有領域から形成されている前記＜１＞〜＜１９＞の何れか一項に記載の吸収性物品。
＜２１＞
前記溝部の閉鎖端部よりも縦方向外方に位置する前記多糖類含有領域において、多糖類は、前記吸収性コアの厚み方向の全域に含有されている前記＜１９＞又は＜２０＞記載の吸収性物品。
【００５９】
＜２２＞
前記溝部の幅（溝部の長さ方向と直交する方向の長さ）は、好ましくは３ｍｍ以上、更に好ましくは５ｍｍ以上、そして、好ましくは２０ｍｍ以下、更に好ましくは１５ｍｍ以下である前記＜１＞〜＜２１＞の何れか一項に記載の吸収性物品。
＜２３＞
前記溝部の縦方向全長は、前記吸収性コアの縦方向全長に対して、好ましくは６０％以上、更に好ましくは７０％以上、そして、好ましくは９５％以下、更に好ましくは９０％以下である前記＜１＞〜＜２２＞の何れか一項に記載の吸収性物品。
＜２４＞
前記溝部と横方向において隣接している前記多糖類含有領域（前記横方向最外方溝部の横方向外方に位置してこれに隣接している多糖類含有領域）の幅は、好ましくは５ｍｍ以上、更に好ましくは７．５ｍｍ以上、そして、好ましくは２０ｍｍ以下、更に好ましくは１５ｍｍ以下である前記＜１＞〜＜２３＞の何れか一項に記載の吸収性物品。
＜２５＞
前記溝部と縦方向において隣接している前記多糖類含有領域の幅は、好ましくは５ｍｍ以上、更に好ましくは７．５ｍｍ以上、そして、好ましくは２０ｍｍ以下、更に好ましくは１５ｍｍ以下である前記＜１＞〜＜２４＞の何れか一項に記載の吸収性物品。
【００６０】
＜２６＞
前記多糖類が粉末又は粒子の状態で用いられる場合、その大きさは、好ましくは１０μｍ以上、更に好ましくは５０μｍ以上、そして、好ましくは１０００μｍ以下、更に好ましくは５００μｍ以下である前記＜１＞〜＜２５＞の何れか一項に記載の吸収性物品。
＜２７＞
前記多糖類がカプセルに内包された状態で用いられる場合、該カプセルの大きさは、好ましくは３００μｍ以上、更に好ましくは５００μｍ以上、そして、好ましくは２０００μｍ以下、更に好ましくは１０００μｍ以下である前記＜１＞〜＜２５＞の何れか一項に記載の吸収性物品。
＜２８＞
前記吸収性コアにおける前記多糖類の含有量は、好ましくは１０ｇ／ｍ2以上、更に好ましくは３０ｇ／ｍ2以上、そして、好ましくは２００ｇ／ｍ2以下、更に好ましくは１００ｇ／ｍ2以下である前記＜１＞〜＜２７＞の何れか一項に記載の吸収性物品。
＜２９＞
前記吸収性コア中において、これに含まれる繊維材料と前記多糖類との含有質量比（多糖類／繊維材料）は、好ましくは１０／１０００以上、更に好ましくは１／５以上、そして、好ましくは２００／５０以下、更に好ましくは１／１以下である前記＜１＞〜＜２８＞の何れか一項に記載の吸収性物品。
【実施例】
【００６１】
以下、本発明を実施例により更に具体的に説明するが、本発明は斯かる実施例に限定されるものではない。
【００６２】
以下の実施例１〜４では、吸収性コアとして、平面視が図６に示す形態で、且つ横断面視（図６のＩＩ−ＩＩ線断面視）が図５、図７若しくは図８に示す形態又はその変形例である吸収性コアを用いた。尚、図６〜図８中の斜線を付した部分は、多糖類の含有部分を示しているが、図６では、多糖類の厚み方向の分布状態（非肌対向面側に偏在しているか等）を問わず、多糖類含有領域に斜線を付している。
【００６３】
平面視が図６に示す形態の吸収性コアは、図６に示す通り、該吸収性コアの横方向Ｙの中央部に位置する溝部間隙部（中央吸収部）２６と、該溝部間隙部２６の横方向Ｙの両外方に位置する一対の側部吸収部２７，２７とを有し、且つ溝部間隙部２６と一対の側部吸収部２７，２７それぞれとの間に、該吸収性コアを厚み方向に貫通する溝部４を有している。平面視が図６に示す形態の吸収性コアにおいては、両溝部４，４は、該吸収性コアの縦方向両端部２３Ｅ，２３Ｅに開放されていて、その長さ方向（縦方向）の前後端に閉鎖端部を有しておらず、溝部間隙部２６と側部吸収部２７とは、溝部４によって完全に分断されている。
【００６４】
平面視が図６に示す形態の吸収性コアは、次のようにして作製した。積繊装置を用い常法に従って、該装置の積繊ドラムに親水性繊維である木材パルプ（Weyerhaeuser Company Limited製NB416L１０００W）を最初に堆積させた後、その堆積物上に、吸水性ポリマー（サンダイヤポリマー株式会社製IM113）及び該親水性繊維を堆積させることにより、積繊体を得た。得られた積繊体において、親水性繊維の坪量は１３５ｇ／ｍ2、吸水性ポリマーの坪量は１２６ｇ／ｍ2、厚みは２．５ｍｍであった。この積繊体から、縦方向長さ２００ｍｍ、横方向長さ５０ｍｍ、厚み２．５ｍｍの直方体を切り出して溝部間隙部（中央吸収部）２６とし、また、縦方向長さ２００ｍｍ、横方向長さ４０ｍｍ、厚みは２．５ｍｍの直方体を２個切り出してそれぞれ側部吸収体２７とし、これらを、溝部４の縦方向長さ２００ｍｍ、横方向長さ（幅）１０ｍｍとなるように配置し、目的とする吸収性コアを得た。
【００６５】
平面視が図６に示す形態の吸収性コアに含有させる多糖類として、アルギン酸ナトリウム（和光純薬工業株式会社製）を用いた。多糖類を吸収性コアの厚み方向の一部のみに含有させる（肌対向面側又は非肌対向面側に偏在させる）場合、溝部間隙部（中央吸収部）２６又は側部吸収部２７における、溝部４に隣接する側縁から横方向内方に１０ｍｍに亘る平面視帯状部分の厚み方向の所定部位に、アルギン酸ナトリウムを坪量２０ｇ／ｍ2で散布した。また、多糖類を吸収性コアの厚み方向の全域に含有させる場合、吸収性コアの成形段階で吸水性コアの形成材料としてアルギン酸ナトリウムを用いた。即ち、前記積繊ドラムに親水性織維を最初に堆積させた後、その堆積物上に、吸水性ポリマー、該親水性繊維及びアルギン酸ナトリウムを堆積させることにより、積繊体を得た。得られた積繊体において、親水性繊維の坪量は１３５ｇ／ｍ2、吸水性ポリマーの坪量は１２６ｇ／ｍ2、アルギン酸ナトリウムの坪量は５０ｇ／ｍ2であった。また、このアルギン酸ナトリウムは、前記増粘性評価方法に従った粘度測定において、該アルギン酸ナトリウム添加前の塩化カルシウム水溶液の粘度は１６ｍｍ2／Ｓ、添加後の粘度は９６ｍｍ2／Ｓであり、添加後粘度が添加前粘度に比して１０パーセント以上上昇したことから、接触した体液を増粘させ得る多糖類であると判断できる。
【００６６】
〔実施例１〕
常法に従い、図１〜図３に示すおむつ１と同様の基本構成を有するパンツ型使い捨ておむつを作製した。表面シートとして、坪量２５ｇ／ｍ2のＳＣ２５０Ｒ（レンゴー・ノンウーブン・プロダクツ株式会社製）を用い、裏面シートとして、坪量２０ｇ／ｍ2のＣ３Ｙ６０２０Ａ５Ａ（三菱樹脂株式会社製）を用い、外装体として、市販のパンツ型使い捨ておむつ（花王株式会社製、商品名「リリーフはつらつパンツ  安心のうす型」）の外装体を用いた。吸収性コアとして、平面視が図６、横断面視（図６のＩＩ−ＩＩ線断面視）が図７に示す形態である、貫通孔からなる溝部４を有する吸収性コアを用い、該吸収性コアの全体を、坪量１６ｇ／ｍ2の親水性且つ透液性の紙からなるコアラップシートで被覆して吸収体を作製し、該吸収体をおむつに組み込んだ。実施例１で用いた吸収性コアにおいては、図７に示すように、多糖類（多糖類存在部５０）は吸収性コアの肌対向面側に偏在している。
【００６７】
〔実施例２〕
吸収性コアとして、平面視が図６、横断面視（図６のＩＩ−ＩＩ線断面視）が図５に示す形態である、貫通孔からなる溝部４を有する吸収性コアを用いた以外は、実施例１と同様にしてパンツ型使い捨ておむつを作製した。
【００６８】
〔実施例３〕
吸収性コアとして、平面視が図６、横断面視（図６のＩＩ−ＩＩ線断面視）が図８に示す形態である、貫通孔からなる溝部４を有する吸収性コアを用いた以外は、実施例１と同様にしてパンツ型使い捨ておむつを作製した。実施例３で用いた吸収性コアにおいては、図８に示すように、多糖類（多糖類存在部５０）は吸収性コアの非肌対向面側に偏在している。
【００６９】
〔実施例４〕
吸収性コアとして、一対の側部吸収体２７，２７それぞれの全体に均一に多糖類が含有されている（側部吸収体２７に多糖類非含有領域６が配されていない）点以外は、実施例２で用いた吸収性コアと同じものを用いた。以上の点以外は実施例１と同様にしてパンツ型使い捨ておむつを作製した。
【００７０】
〔比較例１〕
吸収性コアとして、溝部を有しておらず且つ多糖類が含有されていない吸収性コアを用いた。比較例１で用いた吸収性コアは、縦方向長さ２００ｍｍ、横方向長さ１５０ｍｍ、厚み２．５ｍｍの扁平な板状物であり、組成としては、多糖類が含有されていない点以外は、各実施例で用いた吸収性コアと同じである。以上の点以外は実施例１と同様にしてパンツ型使い捨ておむつを作製した。
【００７１】
〔比較例２〕
吸収性コアに多糖類を含有させなかった以外は、実施例１と同様にしてパンツ型使い捨ておむつを作製した。
【００７２】
〔比較例３〕
吸収性コアの肌対向面側の全域に多糖類（アルギン酸ナトリウム）を含有させた以外は、比較例１と同様にしてパンツ型使い捨ておむつを作製した。比較例３で用いた吸収性コアにおけるアルギン酸ナトリウムの坪量は２０ｇ／ｍ2であった。
【００７３】
〔評価〕
各実施例及び比較例のおむつについて、縦方向及び横方向それぞれの液拡散長さを下記方法により測定した。その結果を下記表１に示す。
【００７４】
＜液拡散長さの測定方法＞
測定対象の使い捨ておむつを平面状に拡げ、表面シートを上に向けて、水平面に対する傾斜角度が３０°の平滑な傾斜面上に無加圧状態で固定し、表面シートにおける、吸収性コアの中心位置に対応する部分に、１０ｇの人工尿を注入速度２ｇ／秒で注入して吸収させた。人工尿の注入から１０分間経過後に、使い捨ておむつから吸収性コアを取り出し、定規を用いて、人工尿の吸収保持部分における注入位置からの縦方向及び横方向それぞれの最大長さを測定し、その測定値を縦方向拡散長さ及び横方向拡散長さとした。尚、人工尿には赤色や青色などの色素を加えておき、吸収性コア内で人工尿が拡散した範囲を視認可能とすることにより、拡散長さが測定可能となる。縦方向液拡散長さについては、その数値が大きいほど、縦方向の液拡散が促進されていると判断され、高評価となる。横方向液拡散長さについては、その数値が小さいほど、横方向の液拡散が抑制されていると判断され、高評価となる。従って、横方向液拡散長さに対する縦方向液拡散長さの比率（縦方向液拡散長さ／横方向液拡散長さ）が大きいほど、高評価となる。人工尿の組成は次の通りである。尿素１．９質量％、塩化ナトリウム０．８質量％、硫酸マグネシウム（七水和物）０．１質量％、塩化カルシウム（二水和物）０．１質量％、硫酸カリウム０．１質量％、ポリオキシエチレンラウリルエーテル０．１質量％、赤色二号０．１％及びイオン交換水（残量）。
【００７５】
【表１】
2015112130.tif 000003
【００７６】
吸収性コアにおける液拡散性の制御に対する溝部及び多糖類の影響は、実施例１〜４と比較例１〜３との対比から示唆される。表１に示す通り、溝部を有し且つ多糖類を含有する吸収性コアを用いた実施例１〜４は、両要素が揃っていない比較例１〜３に比して、縦方向液拡散長さが長く、且つ横方向液拡散長さが短く、結果として両長さの比率が１．１以上であり、縦方向については体液の拡散を促進し、横方向については体液の拡散を抑制し得るものであることがわかる。
【００７７】
尚、図４に示すように、吸収性コアの溝部が縦方向端部に開放されておらずに閉鎖端部を有していることの有効性を確認すべく、吸収性コアとして、前述した吸収性コア２３（図４及び図５参照）と同じものを用いた以外は、実施例１と同様にしてパンツ型使い捨ておむつを作製した。この吸収性コアにおいて、多糖類含有領域の幅Ｗ２及び幅Ｗ３（図４参照）はそれぞれ１０ｍｍ、溝部４の閉鎖端部４Ｅと吸収性コア２３の縦方向端部２３Ｅとの距離は５５ｍｍであった。このおむつについて、前記方法により縦方向及び横方向それぞれの液拡散長さを測定したところ、縦方向液拡散長さは９３ｍｍ、横方向液拡散長さは８７ｍｍであり、横方向液拡散長さに対する縦方向液拡散長さの比率は１を超えていた。以上の結果から、吸収性コアにおける溝部が閉鎖端部を有しているおむつにおいても、他の実施例のおむつと同様に、液拡散性が適切に制御されていたことがわかる。
【符号の説明】
【００７８】
１  パンツ型使い捨ておむつ（吸収性物品）
２  吸収性本体
２１  表面シート
２２  裏面シート
２３  吸収性コア
２３ａ  吸収性コアの肌対向面
２３ｂ  吸収性コアの非肌対向面
２６  溝部間隙部
３  外装体
３１  外層シート
３２  内層シート
４  溝部（横方向最外方溝部）
４Ｅ  溝部の閉鎖端部
５  多糖類含有領域
５０  多糖類存在部
５１  横方向最外方多糖類含有領域
６  多糖類非含有領域
Ａ  腹側部
Ｂ  股下部
Ｃ  背側部
Ｘ  縦方向
Ｙ  横方向
【図１】
2015112130.tif 000004
【図２】
2015112130.tif 000005
【図３】
2015112130.tif 000006
【図４】
2015112130.tif 000007
【図５】
2015112130.tif 000008
【図６】
2015112130.tif 000009
【図７】
2015112130.tif 000010
【図８】
2015112130.tif 000011